(57)【要約】【課題】  側板等の扉側に棚用ダボ孔列と蝶番用孔列の二列設けたため、側板等の生産時の効率が悪いとともに、見栄えが悪いという課題があった。又蝶番用孔を限定した数カ所にしか設けないと蝶番の高さ位置が限定されてしまうため、多様な寸法に上下分割した開閉可能な扉には使用できない課題があった。【解決手段】  この発明の収納ユニットは、左右側板３、３の扉側内面及び後側内面に、それぞれ上下に一列状に孔８を間隔を置いて複数設け、且つ扉側内面に設けた孔列８ａは、ダボ孔と蝶番用孔との共用の孔列として形成してなり、棚受け部７は、それぞれの孔８に挿脱自在な突起部７０を扉側端部に有するとともに、扉側の突起部７０から間隔をあけて中央側に端部７１０を有する棚受け止め７を形成してなり、適宜側板３、３に取り付けたそれぞれの棚受け部７、７に棚板６を載置し、かつ扉板５を閉鎖した状態で箱内の扉側に上下に連通する収納空間１０を形成する。【選択図】  図２
2006181136.tif 000002
【特許請求の範囲】
【請求項１】
上板、下板、左右の側板、後板、扉板を少なくとも有する箱体の内部に複数の棚板を棚受け部によって設置可能な収納ユニットにおいて、
左右側板は、扉側内面及び後側内面に、それぞれ上下に一列状に孔を間隔を置いて複数設け、且つ扉側内面に設けた孔列は、ダボ孔と蝶番用孔との共用の孔列として形成してなり、
棚受け部は、それぞれの孔に挿脱自在な突起部を扉側端部に有するとともに、扉側の突起部から間隔をあけて中央側に端部を有する棚受け止めを形成してなり、
適宜側板に取り付けたそれぞれの棚受け部に棚板を載置し、かつ扉板を閉鎖した状態で箱内の扉側に上下に連通する収納空間を形成することを特徴とする収納ユニット。
【請求項２】
上板、下板、左右の側板、後板、扉板を少なくとも有する箱体の内部に複数の棚板を棚受け部によって設置可能な収納ユニットにおいて、
左右側板は、扉側内面及び後側内面に、それぞれ上下に一列状に孔を間隔を置いて複数設け、且つ扉側内面に設けた孔列は、ダボ孔と蝶番用孔との共用の孔列として形成してなり、
棚受け部は、それぞれの孔に挿脱自在な突起部を扉側端部に形成するとともに、後板側に前後方向に長い取付長孔を形成し、かつ扉側の突起部から間隔をあけて中央側に端部を有する棚受け止めを形成してなり、
適宜側板に取り付けたそれぞれの棚受け部に棚板を載置し、かつ扉板を閉鎖した状態で箱内の扉側に上下に連通する収納空間を形成するとともに、棚受け部は、取付長孔と取付用ダボにより傾斜角度を自在に選択可能に設置できることを特徴とする収納ユニット。
【請求項３】
収納ユニットの側板や仕切り板等に形成されるダボ孔に、挿脱自在な突起部を一端部に有するとともに、突起部から間隔をあけて中央側に端部を有し棚部を載置自在な棚受け止めを有することを特徴とする収納ユニット用棚受け部。
【請求項４】
収納ユニットの側板や仕切り板等に形成されるダボ孔に、挿脱自在な突起部を一端部に有するとともに他端側に前後方向に長い取付長孔を形成し、かつ突起部から間隔をあけて中央側に端部を有し棚部を載置自在な棚受け止めを有することを特徴とする収納ユニット用棚受け部。
【発明の詳細な説明】
【技術分野】
【０００１】
この発明は、スリッパ、靴などの履き物とともに傘などの多種類の日用品を収納可能な収納装置であり、詳細には一般の人が組立て可能な収納ユニット及び収納ユニットに使用する収納ユニット用棚受け部に関する。
【背景技術】
【０００２】
スリッパ、靴などの履き物の収納装置としては、一般的に玄関に置かれ、靴入れであると、箱体の中に複数の棚を上下に間隔をあけて設けている。これらの箱体の大きさ形状は、様々であり、設置する場所の大きさ、形状によって様々なものがあり、棚の数、棚間の間隔等も様々である。
【０００３】
スリッパ、靴などの履き物の収納装置の中で、従来の収納ユニットの構成部品としては、箱体を形成する上板、下板、左右の側板、仕切り板、後面板及び両開き、片開き等の扉板、それに側板間に設ける棚板（或はダボ付棚板）、棚板を受けるダボ又はダボ付の棚受け部、側板内側にはダボを挿入抜き取り可能なダボ孔及び扉板を側板に取付ける蝶番が一般的に必要であり、蝶番の取付けはダボ孔を使用して取付けていた（従来技術１）。
【０００４】
更に、棚に靴を収納する他、扉板の内側にも傘やスリッパ等の別種の品物も収納可能な収納ユニットも知られていた。このような収納ユニットは、扉側に傘やスリッパを収納する空間を確保するために、側板や仕切り板に棚用ダボ孔をやや中央よりに上下一列に設け、更にそれより扉側に同様に蝶番用孔を上下一列に設け、側板の扉側に二列の孔が複数上下に設けられた構成になっていた。（従来技術２）
【０００５】
また、特開２００２−２０９６４６号公報（従来技術３）に「下駄箱の構造」として、「基箱の側板間に、靴を載置する載置面を有する棚板を上下多段に架け渡してなり、該棚板は、前記側板の内面から突出する前、後の支持片に係止され、水平状態と前下がりの傾斜状態とで位置替え可能に支持される」構成により、「使用者の要求に応じた効率の良い靴の収納を、使い勝手良く行うことができる」との記載がある。そして、従来技術３の棚板は、斜めの角度を得るため裏面に複数のダボと係止可能な溝が複数形成されて、いずれかの溝をダボに掛けて傾斜角度を変更する構成である。
【０００６】
更に、特開平８−２２８８４９号公報（従来技術４）に、「棚用棚受具」として「棚体に縦列状態に形成した掛孔に引っ掛け係止する掛部を両端に設けた棚受桟体の一方の掛部を、他方の掛部を掛孔に引っ掛係止した状態でこの他方の掛部に対して少なくとも掛孔より着脱できる角度範囲で正逆回動自在に設けた棚用棚受具」の構成により「棚受桟体を傾斜状態として棚板を前傾斜させたい場合に、一々両端の掛部を掛孔から掛脱するような煩わしいことをせずとも、いずれか一方の掛部だけを掛孔より取り外してこの掛部を一段下の掛孔に引っ掛け係止することができる」との記載がある。
【特許文献１】特開２００２−２０９６４６号公報（従来技術３）
【特許文献２】特開平８−２２８８４９号公報（従来技術４）
【発明の開示】
【発明が解決しようとする課題】
【０００７】
従来技術１の収納ユニットでは、扉側に空間がないので、靴以外の傘等を収納することはできなかった。また、従来技術２の収納ユニットは、傘やスリッパ等のものを収納できるが、側板や仕切り板に、扉側に棚用ダボ孔列と蝶番用孔列の二列設けるため、側板や仕切り板の生産時における効率が悪いとともに、孔が内面に多数形成されるため、美観的に見栄えが悪いとともに側板や仕切り板の強度も減少する課題があった。更に、従来技術２では、そのような問題点を減少させるため蝶番用孔の数を減らし限定した数カ所にしか設けない場合がある。このような収納ユニットであると、蝶番の高さ位置が限定されてしまうため、多様な寸法に 上下分割して開閉可能な扉には使用できない欠点があった。
【０００８】
また、従来技術３及び４は、棚板を斜め状に係止可能な収納装置であるが、従来技術３の棚板は、裏面に設けられた複数の溝のいずれかの溝を、高さの違うダボと係止させて傾斜角度を変更するが、溝の数や間隔に限定があるため、ダボ孔同士の間隔と溝同士の間隔が決められたものでないと組み合わせられないため、多様な寸法の製品間に使用ができない問題点があった。また、その為、決まった一定の斜度にした棚板が設置できない問題点があった。
【課題を解決するための手段】
【０００９】
上記の課題を解決するため、上板、下板、左右の側板、後板、扉板を少なくとも有する箱体の内部に複数の棚板を棚受け部によって設置可能な収納ユニットにおいて、
左右側板は、扉側内面及び後側内面に、それぞれ上下に一列状に孔を間隔を置いて複数設け、且つ扉側内面に設けた孔列は、ダボ孔と蝶番用孔との共用の孔列として形成してなり、
棚受け部は、それぞれの孔に挿脱自在な突起部を扉側端部に有するとともに、扉側の突起部から間隔をあけて中央側に端部を有する棚受け止めを形成してなり、
適宜側板に取り付けたそれぞれの棚受け部に棚板を載置し、かつ扉板を閉鎖した状態で箱内の扉側に上下に連通する収納空間を形成することを特徴とする収納ユニットを提案する。
【００１０】
更に、上板、下板、左右の側板、後板、扉板を少なくとも有する箱体の内部に複数の棚板を棚受け部によって設置可能な収納ユニットにおいて、
左右側板は、扉側内面及び後側内面に、それぞれ上下に一列状に孔を間隔を置いて複数設け、且つ扉側内面に設けた孔列は、ダボ孔と蝶番用孔との共用の孔列として形成してなり、
棚受け部は、それぞれの孔に挿脱自在な突起部を扉側端部に形成するとともに、後板側に前後方向に長い取付長孔を形成し、かつ扉側の突起部から間隔をあけて中央側に端部を有する棚受け止めを形成してなり、
適宜側板に取り付けたそれぞれの棚受け部に棚板を載置し、かつ扉板を閉鎖した状態で箱内の扉側に上下に連通する収納空間を形成するとともに、棚受け部は、取付長孔と取付用ダボにより傾斜角度を自在に選択可能に設置できることを特徴とする収納ユニットを提案する。
【００１１】
更にまた、収納ユニットの側板や仕切り板等に形成されるダボ孔に、挿脱自在な突起部を一端部に有するとともに、突起部から間隔をあけて中央側に端部を有し棚部を載置自在な棚受け止めを有することを特徴とする収納ユニット用棚受け部、及び収納ユニットの側板や仕切り板等に形成されるダボ孔に、挿脱自在な突起部を一端部に有するとともに他端側に前後方向に長い取付長孔を形成し、かつ突起部から間隔をあけて中央側に端部を有し棚部を載置自在な棚受け止めを有することを特徴とする収納ユニット用棚受け部を提案する。
【発明の効果】
【００１２】
この発明によれば、靴などの履き物の他、傘やスリッパ等を扉側に収納可能な収納ユニットにおいて側板や仕切り板に形成される孔列が一列減るため、生産効率が向上するとともに、扉を開けたときに見えてしまう孔による製品としての美観、見栄えが向上した。
【００１３】
また、蝶番用の孔をダボ孔と兼用したことによって、蝶番の取付け位置の選択が広がり、上下別開閉する二つ以上の扉を設けること ができるとともに、その扉の大きさ等の選択幅が広くなる利点がある。
【００１４】
更に、請求項２及び請求項４に係る発明によれば、棚受け部が取付長孔によって、ダボ孔の設けられた間隔が異なる側板等においても対応でき、かつ従来技術より比較的設置傾斜角度を自由に選択できる利点がある。
【発明を実施するための最良の形態】
【００１５】
この発明の１つの実施形態である収納ユニットについて、正面説明図である図１、図１のＡＡ線断面図である図２、図１のＢＢ線断面図である図３、この発明に使用する棚受け部の正面図である図４、同じく棚受け部の平面図である図５、同じく棚受け部の後面図である図６、同じく棚受け部の側面図である図７、他の実施形態である棚受け部の平面図である図８、同じく棚受け部の別の実施形態の平面図である図９、同じく棚受け部の別の実施形態の後面図である図１０、同じく棚受け部の別の実施形態の側面図である図１１、この発明の実施形態であり、棚板の傾斜角度を説明する説明部分断面図である図１２、この発明の実施形態であり、上下別々に開閉可能な扉板を設けた正面図である図１３、同じく図１３のＣＣ線断面図である図１４、取付用ダボの斜視図である図１５に基づいて説明する。
【００１６】
この発明の好ましい実施形態の収納ユニットについて説明する。この発明の収納ユニットの箱体は、上板１、下板２、左右の側板３、３、後板４、扉板５を少なくとも有する。これらの他、側板３、３の間に平行に設けられる図示しない仕切り板を設けてもよい。箱体は、その内部に複数の棚板６を棚受け部７によって設置可能である。
【００１７】
左右の側板３、３は、扉板５側の内面にダボ孔８を上下に一列状形成した前部ダボ孔列８ａを設ける。ダボ孔列８ａは、ダボ孔と蝶番用孔との共用の孔列として形成してなる。また左右の側板３、３は、後板４側の内面にダボ孔８を上下に一列状に後部ダボ孔列８ｂを設ける。図示しない仕切り板の構成も、側板３と同じである。
【００１８】
扉板５は、蝶番取付け具付蝶番９によって側板３に開閉自在に取り付けられている。蝶番取付け具付蝶番９は、前部ダボ孔８ａのいずれかのダボ孔８に挿入可能な取付け突起を有する取付け具を使用して側板３に取付けるとともに、扉板５の任意の高さの蝶番取付部分に孔５０を設け蝶番を取付けている。この蝶番取付け具付蝶番９によって扉板５の任意の高さ位置に蝶番を取付けることができる。
【００１９】
１０は、箱体内の扉板５側に上下に連通して形成される収納空間である。Ｓは、この実施形態ではスリッパであるが、傘等別種の物品でもかまわない。スリッパ等Ｓは、扉板５の内面側に設けたスリッパ掛け部１００に係止され、扉板５を閉鎖した状態で収納空間１０に位置するため棚部６の前端辺に衝突して押しつぶされることはない。
【００２０】
棚受け部７は、ほぼ箱体奥行き寸法前後の長さの板状体の一側面に突出する突起部（ダボ部）７０を扉板５側の前端部に形成しそれぞれの前部ダボ孔列８ａのいずれかのダボ孔８に挿脱自在であるとともに、突起部７０から間隔をあけて中央側に前端部７１０を有する棚受け止め７１を形成してなる。棚受け止め７１は、側板３のダボ孔８に突起部７０を挿入して設置された状態で突起部７０とは逆方向に水平状に突出する板状体であり、ほぼ板状体の後部まで設けられている。
【００２１】
図４乃至図７に示す棚受け部７ａの実施形態では、上述した構成に加え、後板４側に前後方向に長い取付長孔７２を形成している。取付長孔７２は、取付用ダボ７３によって適宜高さのダボ孔８に取付けることが可能である。取付長孔７２と取付用ダボ７３により、後板４側の後部ダボ孔列８ｂの複数の高さ位置のいずれかの孔８に容易に取り付けることができ、傾斜角度を設定、或は変更可能である。
【００２２】
又、図８乃至図１１は、棚受け部７ｂの他の実施形態であり、板状体の一側面で扉板５側の前端部に突出する前部突起部７０ａを形成するとともに、取付長孔７２の代わりに後部突起部７０ｂを前部突起部７０ａと同じ方向に突出して形成する。後部突起部７０ｂは、後部ダボ孔列８ｂのそれぞれのダボ孔８に挿脱自在である。
【００２３】
図１２は、複数の傾斜角度で棚受け部７ａを設置し、棚受け部７ａ間に棚板６を角度を変えて載置した複数の棚板６の傾斜状態を示す説明図である。
【００２４】
この発明の収納ユニットは、上述したような構成を有し、一般的には購買者が購買後に棚板６の数、間隔、傾斜角度などを好みによって選択し組み立てることが可能である。棚板６は、側板３、３にそれぞれ係止される棚受け部７の棚受け止め７１上面間に載置される。そして棚受け止め７１の前端部７１０により、傾斜角度があっても扉板５方向へズレ移動することはない。
【００２５】
棚受け部７ａであると取付長孔７２があるため、製品によってダボ孔８の上下の間隔が異なって形成された側板３の場合でも対応が可能である利点があり、棚部６を水平状態から数種の傾斜角度の異なる状態に設けることが可能である。図１２に示す図例では上下４段のダボ孔８に取付用ダボ７３によって取付け可能である。
【００２６】
又、扉板５は、図１３及び図１４に示すように一枚扉でない例えば上下別々に開閉可能な２枚の扉板５ａ、５ｂを設けてもよく、この場合も前部ダボ孔列８ａにより様々な大きさの扉板５の選択が可能である。
【産業上の利用可能性】
【００２７】
この発明は、靴等の履き物の他、傘やスリッパ等の別種類の物を収納可能であるため、購買者が購買後自宅等において容易に組立て可能なため、一般の家庭、事務所、会社等様々な場所において利用性が高い。
【図面の簡単な説明】
【００２８】
【図１】この発明の１つの実施形態である収納ユニットの扉板の裏側を正面から見た説明図
【図２】同じく図１のＡＡ線断面図
【図３】同じく図１のＢＢ線断面図
【図４】この発明に使用する棚受け部の１つの実施形態の正面図
【図５】同じく棚受け部の１つの実施形態の平面図
【図６】同じく棚受け部の１つの実施形態の後面図
【図７】同じく棚受け部の１つの実施形態の側面図
【図８】この発明の棚受け部の別の実施形態の正面図
【図９】同じく棚受け部の別の実施形態の平面図
【図１０】同じく棚受け部の別の実施形態の後面図
【図１１】同じく棚受け部の別の実施形態の側面図
【図１２】この発明の実施形態であり、棚板の傾斜角度を説明する説明部分断面図
【図１３】この発明の実施形態であり、上下別々に開閉可能な扉板を設けた正面図
【図１４】同じく図１３のＣＣ線断面図
【図１５】取付用ダボの斜視図
【符号の説明】
【００２９】
１  上板
２  下板
３  側板
４  後板
５  扉板
５ａ  扉板（上部）
５ｂ  扉板（下部）  
５０  蝶番取付部分の孔
６  棚板
７  棚受け部
７ａ  棚受け部
７ｂ  棚受け部
７０  突起部（ダボ部）
７０ａ  前部突起部
７０ｂ  後部突起部
７１  棚受け止め
７１０  棚受け止め端部
７２  取付長孔
７３  取付用ダボ
８  ダボ孔
８ａ  前部ダボ孔列
８ｂ  後部ダボ孔列
９  蝶番取付具付蝶番
１０  収納空間
１００  スリッパ掛け部
Ｓ  スリッパ等
【図１】
2006181136.tif 000003
【図２】
2006181136.tif 000004
【図３】
2006181136.tif 000005
【図４】
2006181136.tif 000006
【図５】
2006181136.tif 000007
【図６】
2006181136.tif 000008
【図７】
2006181136.tif 000009
【図８】
2006181136.tif 000010
【図９】
2006181136.tif 000011
【図１０】
2006181136.tif 000012
【図１１】
2006181136.tif 000013
【図１２】
2006181136.tif 000014
【図１３】
2006181136.tif 000015
【図１４】
2006181136.tif 000016
【図１５】
2006181136.tif 000017